(57)【要約】【課題】            生産性が良く故障の少ない簡素な構造でもって、開閉体が略全閉状態となったことを精度よく認識することができる開閉装置を提供する。【解決手段】        巻取り軸２３に巻かれた開閉体１０を操出し、該開閉体１０を当接対象部位ｐに当接させて略全閉状態となるようにした開閉装置において、前記当接対象部位ｐに当接した際の開閉体１０の弛みを巻取り軸２３の近傍で接触感知または非接触感知することにより、開閉体１０が略全閉状態となったことを認識するようにした。【選択図】          図１
2006028910.tif 000002
【特許請求の範囲】
【請求項１】
巻取り軸に巻かれた開閉体を操出し、該開閉体を当接対象部位に当接させて略全閉状態となるようにした開閉装置において、
前記当接対象部位に当接した際の開閉体の弛みを巻取り軸の近傍で接触感知または非接触感知することにより、開閉体が略全閉状態となったことを認識するようにしたことを特徴とする開閉装置。
【請求項２】
巻取り軸に巻かれた際の開閉体の内側に、弛んだ際の開閉体を感知する感知部を設けたことを特徴とする請求項１記載の開閉装置。
【請求項３】
開閉体の幅方向の端部を巻取り軸の回転部位から軸方向へ突出させている開閉装置であって、その突出部位の内側に確保された空間に、上記感知部の一部又は全部を配置するようにしたことを特徴とする請求項２記載の開閉装置。
【請求項４】
上記感知部は、上記開閉体をその内側から感知するように設けられていることを特徴とする請求項２又は３記載の開閉装置。
【請求項５】
上記感知部は、開閉体を接触感知するように構成され、巻取り軸の回転部位に固定されていることを特徴とする請求項４記載の開閉装置。
【請求項６】
上記感知部は、巻取り軸の回転部位に対して回転不能な部位に、固定されていることを特徴とする請求項１乃至４何れか１項記載の開閉装置。
【請求項７】
開閉体が弛んだことを感知した場合に、該開閉体を逆転動作させ、この逆転動作により開閉体の弛みが略解消されたことを感知した場合に、該開閉体を停止するようにしたことを特徴とする請求項１乃至６何れか１項記載の開閉装置。
【発明の詳細な説明】
【技術分野】
【０００１】
本発明は、オーバーヘッドドアを含むシャッター装置、ドア、雨戸を含む引戸、窓、ロールスクリーン、ブラインド、オーニング装置、門扉、ゲート、スライディングウォール装置等、構造物の空間部分を仕切るための開閉装置に関し、特にシャッター装置として適用するのに好ましい開閉装置に関するものである。
【背景技術】
【０００２】
従来、この種の発明には、例えば特許文献１に記載されているように、開閉体（巻上げ式シャッタＳ）の開閉動作に連動するリミットスイッチ装置（２７）を備え、下限位置（ロ）に位置して略全閉状態となった開閉体（巻上げ式シャッタＳ）を、リミットスイッチ装置（２７）により感知するとともに、該リミットスイッチ（２７）から発せられる接点信号によって停止するようにしたものがある。
前記リミットスイッチ装置（２７）は、複数のリミットスイッチ（ＬＳ１〜ＬＳ３）からなり、各リミットスイッチ（ＬＳ１，ＬＳ２，又はＬＳ３）は、大まかには機械式のカウンター機構とマイクロスイッチとを組み合わせて構成される。
より詳細に述べれば、各リミットスイッチ（ＬＳ１，ＬＳ２，又はＬＳ３）は、セットレバー（２３）の操作に連動するセットアーム（１７，１７）を、セットカム（１０，１２）に対し凹凸状に係合させることで原点位置にリセットされる。
また、同リミットスイッチ（ＬＳ１，ＬＳ２，又はＬＳ３）は、マイクロスイッチ（ＭＳ１，ＭＳ２，又はＭＳ３）のアクチュエータ（１５）がカム輪（１３）の凹部（１４）に対し嵌り合って揺動した際に、このマイクロスイッチ（ＭＳ１，ＭＳ２，又はＭＳ３）から、開閉体（巻上げ式シャッタＳ）を停止するための接点開信号を出力する。
【０００３】
しかしながら、上記従来技術によれば、複雑な機械式カウンター機構を構成しているため、機械的な作動不良や、故障等を生じることが懸念される。
より具体的には、各構成部品の寸法誤差や長期使用による摩耗等により、セットレバー（２３）やセットアーム（１７）等の作動不良、セットアーム（１７）とセットカム（１０又は１２）との係合不良、アクチュエータ（１５）とカム輪（１３）との嵌合不良等を生じるおそれがある。そして、これらの不良等に起因して、開閉体の停止位置が所望としない位置にずれてしまうおそれもある。
【特許文献１】特開昭６１−２４３６２４号公報
【発明の開示】
【発明が解決しようとする課題】
【０００４】
本発明は上記従来事情に鑑みてなされたものであり、その課題とする処は、生産性が良く故障の少ない簡素な構造でもって、開閉体が略全閉状態となったことを精度よく認識することができる開閉装置を提供することにある。
【課題を解決するための手段】
【０００５】
上記課題を解決するために第一の発明は、巻取り軸に巻かれた開閉体を操出し、該開閉体を当接対象部位に当接させて略全閉状態となるようにした開閉装置において、前記当接対象部位に当接した際の開閉体の弛みを巻取り軸の近傍で接触感知または非接触感知することにより、開閉体が略全閉状態となったことを認識するようにしたことを特徴とする。
【０００６】
ここで、本発明に係わる開閉装置は、巻取り軸に巻かれた開閉体を、少なくとも閉鎖方向へ動作させて、空間を仕切るように構成された装置であればよく、この開閉装置には、開閉体が閉鎖動作のみを行うように用いられる態様、開閉体が開放動作と閉鎖動作との双方を行うように用いられる態様等を含む。
【０００７】
また、上記開閉体の好ましい具体例としては、複数のスラットやパイプを開閉方向へ連設してなる態様や、単数もしくは複数のパネルや、シート状物、ネット状物を開閉方向へ設けてなる態様、あるいはスラット、パネル、パイプ、シート状物、ネット状物等を適宜に組み合わせてなる態様等が挙げられ、この開閉体の動作方向は、上下方向や、水平方向、斜め方向等とすることができる。
【０００８】
また、上記巻取り軸の具体例としては、軸本体を不動部位（例えば収納ケースや躯体等）に固定するとともに、該軸本体の外周に回動可能に回転体を支持し、該回転体の外周に上記開閉体が巻かれるようにした態様や、軸本体を不動部位に対し回動可能に支持し、該軸本体の外周に上記開閉体が巻かれるようにした態様等が挙げられる。
【０００９】
また、上記当接対象部位とは、開閉体１０が略全閉状態となる際に当接される部位であり、例えば、床面や、地面、枠部材等である。
【００１０】
また、上記「開閉体の弛みを巻取り軸の近傍で接触感知または非接触感知」という手段には、例えば、巻取り軸に巻かれた上記開閉体の内側（換言すれば求心方向側）に、接触式センサーまたは非接触式センサーを備え、このセンサーにより上記開閉体が弛むのを感知するようにした態様や、上記巻取り軸に巻かれた上記開閉体の外側（換言すれば遠心方向側）に、接触式センサーまたは非接触式センサーを備え、このセンサーにより上記開閉体が弛むのを感知するようにした態様などが挙げられる。
更に、他の態様としては、上記巻取り軸の軸方向と略平行に感知媒体（光など）の経路を形成するセンサー（例えば赤外線センサー）を備え、このセンサーにより、上記開閉体の撓みを感知する構成としてもよい。
【００１１】
また、上記「巻取り軸の近傍」には、巻取り軸の内側や、巻取り軸の外側、巻取り軸の側方側等を含み、更に、当該開閉装置が、開閉体を巻く巻取り軸と、該巻取り軸の近傍で開閉体を繰り出し方向へ案内するガイド軸とを備えた所謂二軸タイプの開閉装置である場合に、該ガイド軸の内側や、該ガイド軸の外側、該ガイド軸の側方側等も含む。
【００１２】
また、第二の発明では、巻取り軸に巻かれた際の開閉体の内側に、弛んだ際の開閉体を感知する感知部を設けたことを特徴とする。
【００１３】
ここで、上記感知部には、弛んだ際の開閉体を接触感知する態様と、弛んだ際の開閉体を非接触感知する態様との双方を含む。
前者態様の具体例としては、アクチュエータの揺動により接点を開閉させる所謂リミットスイッチや所謂マイクロスイッチ、テープ状に構成されて押圧されたりその押圧力が開放されたりすることで接点を開閉させる所謂テープスイッチ等が挙げられる。
また、後者態様の具体例としては、開閉体が近接したことを感知する所謂近接スイッチや、感知媒体である赤外線の経路に開閉体が進入したことを感知する所謂赤外線センサー等が挙げられる。
そして、上記感知部は、その少なくとも一部が、巻取り軸に巻かれた開閉体の内側に配置されていればよい。すなわち、この第二の発明は、巻取り軸に巻かれた開閉体の内側の空間を有効利用するものであり、この第二の発明には、上記感知部の全部が巻取り軸の内側に配置された態様や、上記感知部の一部（例えば接点部分）のみが巻取り軸の内側に配置された態様などを含む。
【００１４】
また、第三の発明では、開閉体の幅方向の端部を巻取り軸の回転部位から軸方向へ突出させている開閉装置であって、その突出部位の内側に確保された空間に、上記感知部の一部又は全部を配置するようにしたことを特徴とする。
【００１５】
また、第四の発明では、上記感知部は、上記開閉体をその内側から感知するように設けられていることを特徴とする。
【００１６】
また、第五の発明では、上記感知部は、開閉体を接触感知するように構成され、巻取り軸の回転部位に固定されていることを特徴とする。
【００１７】
ここで、上記回転部位とは、例えば、上記巻取り軸が、不動部位（例えば収納ケースや躯体等）に固定された軸本体と、該軸本体の外周を回動可能な回転体とから構成される場合に、その回転体のことであり、また、上記巻取り軸が不動部位に対し回動可能に支持された軸本体のみから構成される場合には、その軸本体のことである。
【００１８】
また、第六の発明では、上記感知部は、巻取り軸の回転部位に対して回転不能な部位に、固定されていることを特徴とする。
【００１９】
ここで、上記「回転不能な部位」とは、回転する巻取り軸に対し回転しない部位を意味し、この部位には、例えば、不動部位に固定された軸本体や、上記巻取り軸等を収納するための収納ケース、当該開閉装置の設置対象である躯体などを含む。
【００２０】
また、第七の発明では、開閉体が弛んだことを感知した場合に、該開閉体を逆転動作させ、この逆転動作により開閉体の弛みが略解消されたことを感知した場合に、該開閉体を停止するようにしたことを特徴とする。
【００２１】
なお、本明細書中において「開閉体幅方向」とは、開閉体の開閉方向と略直交する方向であって、上記開閉体の厚さ方向ではない方向を意味する。
また、本明細書中において「開閉体開閉方向」とは、開閉体が空間を仕切ったり開放したりするために動作する方向を意味する。
【発明の効果】
【００２２】
本発明は、以上説明したように構成されているので、以下に記載されるような作用効果を奏する。
第一の発明によれば、開閉体が巻取り軸から繰り出されて当接対象部位（例えば、床面や、地面、枠部材等）に当接すると、該開閉体は巻取り軸の近傍で弛みを生じる。そして、その際の開閉体の弛みを巻取り軸の近傍で接触感知または非接触感知することで、該開閉体が略全閉状態になったことを認識する。
したがって、従来技術のような複雑なカウンター機構を用いることなく、生産性が良く故障の少ない簡素な構造でもって、開閉体が略全閉状態となったことを認識することができる。
【００２３】
更に、第二の発明によれば、巻取り軸に巻かれた開閉体の内側に感知部を配置したため、巻径の増加する開閉体に感知部が干渉され難い。
したがって、巻取り軸に巻かれた開閉体の内側空間を有効利用できる上、巻き取られる開閉体と感知部との干渉を防いで、感知部の感知性能を良好に維持することができる。
【００２４】
更に、第三の発明によれば、巻取り軸の回転部位から軸方向へ突出する開閉体の内側の空間を有効に利用して、略全閉時の開閉体の弛みを感知することができる。
【００２５】
更に、第四の発明によれば、感知部が開閉体をその内側から感知する構造であるため、巻取り軸に巻かれた開閉体の内側空間を一層有効に利用できる上、巻径の増加する開閉体に感知部が干渉されることがなく、感知部の感知性能をより良好に維持することができる。
【００２６】
更に、第五の発明によれば、感知部が巻取り軸の回転部位と一体的に回転する構造であるため、感知部が開閉体との摺接により磨耗や故障等するのを防ぐことができる。
【００２７】
更に、第六の発明によれば、回転不能に固定された構造であるため、開閉体が略全閉となった際の巻取り軸の回転角度に関係なく、弛んだ際の開閉体を感知することができる。したがって、開閉体を所定の回転角度で停止させるようにする等の複雑な制御や構造等を必要とせず、簡素な構造とすることができる。
【００２８】
更に、第七の発明によれば、開閉体が巻取り軸から繰り出されて当接対象部位に当接すると、該開閉体は巻取り軸の近傍で弛みを生じる。その際の開閉体の弛みが巻取り軸の近傍で接触感知または非接触感知されると、該開閉体は逆動作する。そして、その逆動作により開閉体の撓みが略解消されると、開閉体の逆動作は、停止される。
したがって、簡単な制御動作により、略全閉位置となった際の開閉体の撓みを略解消し、該開閉体を停止することができる。
【発明を実施するための最良の形態】
【００２９】
以下、本発明の実施の形態を図面に基づいて説明する。
本実施の形態による一例は、住宅やビル、倉庫、工場、地下街、トンネル、車両の荷台等の躯体の開口部分や内部に配設され、前記開口部分を開閉したり、躯体内部の空間を仕切ったり開放したりするシャッター装置として説明する。
【００３０】
この開閉装置１は、閉鎖方向端部をスライドさせて開閉動作する開閉体１０と、該開閉体１０の幅方向（図１における奥行き方向）の端部を囲み開閉方向へ案内するガイドレール（図示せず）と、開閉体１０を巻き取ったり繰り出したりする巻取装置２０とを備え、閉鎖動作中の開閉体１０がその閉鎖方向端部を当接対象部位ｐに当接させて略全閉状態となった際に、該開閉体１０の弛みを前記巻取装置２０内の感知部２１により感知し、該開閉体１０の閉鎖動作を停止する。
【００３１】
開閉体１０は、横長略矩形状の金属板を曲げ加工してなる所謂スラットを、上下に隣接する該スラット間で回動するように複数連接することで開閉体本体１１を構成し、該開閉体本体１１の閉鎖方向側（図示例によれば下方側）の端部に、当接対象部位ｐに当接させるための座板部材１２を開閉体幅方向にわたって接続している。
【００３２】
この開閉体１０の幅方向の寸法は、後述する巻取り軸２３の回転体２３ｃ（回転部位）の軸方向の寸法よりも大きく設定される。
したがって、この開閉体１０は、巻取り軸２３の回転体２３ｃに巻かれた際、該開閉体１０の幅方向の端部を回転体２３ｃから軸方向へ突出させ、その巻かれた開閉体１０の内側に、後述する感知部２１を配置するための空間Ｓを確保する。
【００３３】
また、巻取装置２０は、下部側に開閉体１０を出没させるための開口部を形成した収納ケース２２内に、開閉体１０を巻き取ったり繰り出したりする巻取り軸２３や、該巻取り軸２３をチェーン及びスプロケット等の動力伝達手段（図示せず）を介して電動で双方向へ回転する駆動源２４、開閉体１０の弛みを感知する感知部２１、該感知部２１からの感知信号に応じて駆動源２４を制御する制御部２５等を備えている。
【００３４】
巻取り軸２３は、収納ケース２２の内面にブラケット等を介して軸本体２３ａを回動不能に支持し、該軸本体２３ａの外周に、ベアリング等を介して複数の円盤状支持部材２３ｂを回動自在に支持するとともに、これら円盤状支持部材２３ｂの外周に略筒状の回転体２３ｃを固定し、軸本体２３ａと回転体２３ｃとの間の空間における軸本体２３ａの周囲に、円盤状支持部材２３ｂを巻取り方向へ付勢するコイルバネ２３ｄを巻回している（図２参照）。
【００３５】
なお、本実施の形態によれば、上記したように、回転体２３ｃを略筒状に構成したが、この回転体２３ｃは、例えば、複数の棒状体を上記円盤状支持部材２３ｂに固定してなる籠形状に構成されていてもよい。
また、コイルバネ２３ｄは、駆動源２４の巻取り方向の力を補助したり、開閉体１０が手で開放される際の開放力を補助したり等するために具備されているが、省くことも可能である。
【００３６】
また、駆動源２４は、直流モータまたは交流モータであり、回転体２３ｃを巻取り方向及び繰り出し方向へ回転させるように、正転及び逆転可能に電気配線されている。
【００３７】
また、感知部２１は、アクチュエータ２１ａを揺動させることで、本体部２１ｂ内の接点を開閉させる所謂リミットスイッチであり、図示した好ましい一例によれば、アクチュエータ２１ａの揺動端部に、開閉体１０内面との摩擦抵抗を軽減するローラーを備えている。
この感知部２１は、巻取り軸２３に巻かれた際の開閉体１０内の空間Ｓに位置するとともに、該開閉体１０の内面によってアクチュエータ２１ａが押された状態に維持されるようにして、本体部２１ｂを回転不能な収納ケース２２の内面に固定されている。
【００３８】
この感知部２１の固定位置は、本実施の形態の好ましい一例によれば、巻取り軸２３の繰り出し側の位置であって、且つ、軸本体２３ａに対し略水平または斜め上方となる位置とされる。この配置によれば、開閉体１０が座板部材１２を当接対象部位ｐに当接させた際、開閉体１０の弛みを感知部２１によって良好に感知することができる。
【００３９】
そして、この感知部２１は、アクチュエータ２１ａの揺動による接点信号を制御部２５へ出力するように電気配線されている。
したがって、上記感知部２１の構成によれば、巻取り軸２３に巻かれた開閉体１０が、遠心方向へ弛むと、アクチュエータ２１ａが元の状態に復元し、本体部２１ｂ内の接点信号が制御部２５へ出力される。
【００４０】
また、制御部２５は、図示しない操作部（操作ＢＯＸや、リモコン、操作信号を発するコンピュータ、携帯端末等）などから入力される信号や、上記感知部２１から入力される接点信号に応じて、駆動源２４を正転や逆転、停止等する制御回路である。
【００４１】
次に、開閉体１０を閉鎖動作させる際の制御部２５による処理の一例を、図３（ａ）のフローチャートに基づいて詳細に説明する。
先ず、制御部２５は、図示しない操作部（操作ＢＯＸや、リモコン、操作信号を発するコンピュータ、携帯端末等）からの閉鎖信号が入力されたか否かを判断し（ステップ１１）、入力があった場合には次のステップ１２で駆動源２４を正転させて開閉体１０の閉鎖動作を開始し、そうでない場合には閉鎖信号の入力待ち状態となる。
【００４２】
ステップ１２により開閉体１０の閉鎖中、次のステップ１３では、感知部２１による接点信号（例えばＯＦＦ信号）が有るか否かを判断する。そして、感知部２１の接点信号が有る場合には、次のステップ１４で駆動源２４を一旦停止し逆転することで開閉体１０を反転動作させ、そうでない場合には感知部２１の接点信号を入力待ちした状態となる。
【００４３】
ステップ１４で開閉体１０の反転動作中に、次のステップ１５では、所定時間経過したか否かが判断され、所定時間経過した場合には次のステップ１６で逆転中の駆動源２４を停止して開閉体１０の反転動作を停止し、そうでない場合には、所定時間となるまでステップ１５の処理を繰り返す。なお、前記所定時間は、座板部材１２と当接対象部位ｐとの接触が維持された状態で、駆動源２４の逆転により開閉体１０の弛みが略解消される程度に設定される。
【００４４】
すなわち、上記ステップ１３〜１６によれば、閉鎖動作中の開閉体１０が当接対象部位ｐに当接すると、開閉体１０は巻取り軸２３の遠心方向へ若干弛むが（図１（ｂ）の状態）、その際の開閉体１０の弛みは、感知部２１の感知に基づき駆動源２４が所定時間逆転されることで解消され、開閉体１０は、弛みが略解消された状態のまま停止する。
【００４５】
なお、制御部２５による処理は、上述した図３（ａ）のフローチャートを、図３（ｂ）のフローチャートに置換したものであってもよい。
図３（ｂ）のフローチャートは、上記ステップ１５の処理を、後述するステップ１５’の処理に置換したものであり、他のステップについては図３（ａ）のフローチャートと略同様であるため、重複する詳細説明を省略する。
【００４６】
図３（ｂ）のフローチャートでは、ステップ１４で駆動源２４の逆転により開閉体１０が反転動作している最中、次のステップ１５’により、感知部２１の接点が元の状態（例えばＯＮ状態）に復帰したか否かが判断される。そして、感知部２１の接点が元の状態に復帰した場合には、次のステップ１６により逆転中の駆動源２４を停止し、そうでない場合には、ステップ１５’の処理を繰り返す。
【００４７】
すなわち、図３（ｂ）のフローチャートによれば、閉鎖動作中の開閉体１０が当接対象部位ｐに当接すると、開閉体１０は巻取り軸２３の遠心方向へ若干弛む（図１（ｂ）の状態）。
そのため、その際の開閉体１０の弛みにより感知部２１の接点が変化（例えばＯＮからＯＦＦに変化）し、その接点信号に基づき、駆動源２４が逆転動作する。
駆動源２４が逆転動作すると、弛んだ開閉体１０が巻取り軸２３に巻き取られて行くため、開閉体１０の弛みは次第に解消されて行く。そして、開閉体１０の弛みが解消されると、開閉体１０の内面により感知部２１のアクチュエータ２１ａが押圧されるため、感知部２１の接点は、元の状態（例えばＯＮ状態）に復帰し、その復帰した際の接点信号に基づき、駆動源２４の逆転動作が停止する。よって、開閉体１０は、弛みが略解消された状態で停止することになる。
【００４８】
次に、本発明に係わる開閉装置の他例について説明する。なお、以下に示す開閉装置の他例において、上記開閉装置１と略同様の構成については、同一符号を付けることで重複する詳細説明を省略する。
【００４９】
図４に示す開閉装置２は、開閉装置１において不動部位（収納ケース２２）に固定していた感知部２１を、巻取り軸２３の回転部位（円盤状支持部材２３ｂ）に固定し、感知部２１が回転体２３ｃと一体的に回転するようにしたものである。
より詳細に説明すれば、感知部２１は、アクチュエータ２１ａが開閉体１０の内面に押圧されるようにして、円盤状支持部材２３ｂに固定してある。
そして、円盤状支持部材２３ｂ及び回転体２３ｃは、開閉体１０が略全閉状態となった際に、固定された感知部２１が、巻取り軸２３の繰り出し側の位置であって、且つ、軸本体２３ａに対し略水平または斜め上方となる位置で停止するように、その繰り出し方向の回転量を規制されている。この回転量を規制する手段は、機械的な構成によるものであってもよいし、駆動源２４の制御によるものであってもよい。
この開閉装置２によれば、感知部２１が巻取り軸２３の回転部位（詳細には円盤状支持部材２３ｂ及び回転体２３ｃ）と一体的に回転するため、感知部２１が開閉体１０内面との摺接により磨耗や故障等するのを防ぐことができる。
【００５０】
また、図５における開閉装置３は、開閉装置１において開閉体１０の内面に接触させていた感知部２１を、感知部２１’に置換し、該感知部２１’のアクチュエータ２１ａ’を弛んだ際の開閉体１０の外面に接触をさせるようにしたものである。
より詳細に説明すれば、感知部２１’は、本体部２１ｂを収納ケース２２に固定するとともに、アクチュエータ２１ａ’を開閉体１０の幅方向の端部と収納ケース２２内面との間に通し、該アクチュエータ２１ａ’の揺動端部を開閉体１０外面から所定間隔離れた位置に配置している。前記所定間隔は、弛んだ際の開閉体１０がアクチュエータ２１ａ’の揺動端部に当接するように設定される。
【００５１】
また、この開閉装置３の開閉体１０は、巻取り軸２３に巻かれて最小巻径となる部位１０ａが、該部位１０ａに巻き重ねられる部位１０ｂよりも、開閉体幅方向へ突出するように構成される。そして、その突出部位の外面から所定間隔離れるようにして、前記アクチュエータ２１ａ’の揺動端部が配置されている。
この開閉装置３によれば、開閉体１０の閉鎖方向端部が当接対象部位に当接すると、開閉体１０の最小巻径となる部位１０ａが遠心方向へ膨らむようにして弛み、その弛んだ部分が感知部２１により感知される。その後の開閉体１０の制御動作は、上述した開閉装置ｌと略同様である。
また、巻取り軸２３に開閉体１０が巻き重ねられる際、その巻き重ねられる部位１０ｂは、最小巻径となる部位１０ａに対し軸方向に埋没した位置にあるため、アクチュエータ２１ａ’と干渉することがない。
【００５２】
また、図６における開閉装置４は、上記開閉装置３における感知部２１’を感知部２１に置換し、該感知部２１を開閉体１０の外側に配置したものである。
より詳細に説明すれば、感知部２１は、上述した開閉装置１における感知部２１と略同一のリミットスイッチであり、開閉体１０の最小巻径となる部位から所定間隔離れた位置であって、巻取り軸２３の繰り出し側における軸本体２３ａの斜め上方の位置に、アクチュエータ２１ａを開閉体１０外面へ向けて配置される。
また、開閉体１０は、上記開閉装置３と略同様に、巻取り軸２３に巻かれて最小巻径となる部位が、該部位に巻き重ねられる部位よりも、開閉体幅方向へ突出するように構成される（図示省略）。そして、その突出部位の外面から所定間隔離れるようにして、感知部２１が配置されている。
この開閉装置４によれば、開閉体１０の閉鎖方向端部が当接対象部位に当接すると、開閉体１０の前記最小巻径となる部位が遠心方向へ膨らむようにして弛み、その弛んだ部分が感知部２１により感知される。その後の開閉体１０の制御動作は、上述した開閉装置ｌと略同様である。
なお、巻取り軸２３に開閉体１０が巻き重ねられる際、その巻き重ねられる部位は、前記最小巻径となる部位に対し軸方向に埋没した位置にあるため、感知部２１と干渉することがない。
【００５３】
なお、上記実施の形態によれば、開閉体１０の閉鎖方向端部が当接対象部位ｐに当接した際の開閉体１０の弛みを感知して、開閉体１０が略全閉状態になったことを認識するようにしているが、開閉体１０の閉鎖方向端部が、開閉体１０よりも閉鎖方向側の障害物に当接した際に、開閉体１０の弛みを感知して、開閉体１０が障害物に当接したことを認識し、その当接位置で、開閉体１０を停止や反転動作等することも可能である。
【００５４】
また、上記実施の形態には、上記感知部２１（又は２１’）以外の障害物感知装置（図示せず）を備えることも可能である。この場合の好ましい一例としては、開閉体１０の閉鎖動作中に、前記障害物感知装置による感知が無く、且つ上記感知部２１（又は２１’）による感知が有った際に、所定の制御（例えば、開閉体１０の停止や反転、警報の発信等）を行うようにした構成が挙げられる。
この構成によれば、開閉体１０の閉鎖動作中に前記障害物感知装置やその他の部分が故障した場合等に、その状況に応じた適切な制御を行うことができる。
【００５５】
また、上記実施の形態によれば、感知部２１（又は２１’）を単一とした態様を例示したが、該感知部２１（又は２１’）を巻取り軸２３の周方向や軸方向に複数備えることで、より感知信頼性を向上するようにしてもよい。
【図面の簡単な説明】
【００５６】
【図１】本発明に係わる開閉装置の一例を示す模式図。
【図２】同開閉装置において巻取り軸支持側の構造を示す要部断面図。
【図３】同開閉装置において、（ａ）は閉鎖動作の一例を示すフローチャート、（ｂ）は閉鎖動作の他例を示すフローチャート。
【図４】本発明に係わる開閉装置の他例において、巻取り軸支持側の構造を示す要部断面図。
【図５】本発明に係わる開閉装置の他例において、巻取り軸支持側の構造を示す要部断面図。
【図６】本発明に係わる開閉装置の他例を示す模式図。
【符号の説明】
【００５７】
１，２，３，４：開閉装置
１０：開閉体
２０：巻取装置
２１，２１’：感知部
２１ａ，２１ａ’：アクチュエータ
２３：巻取り軸
２３ａ：軸本体
２３ｂ：円盤状支持部材（回転部位）
２３ｃ：回転体（回転部位）
２４：駆動源
２５：制御部
ｐ：当接対象部位
【図１】
2006028910.tif 000003
【図２】
2006028910.tif 000004
【図３】
2006028910.tif 000005
【図４】
2006028910.tif 000006
【図５】
2006028910.tif 000007
【図６】
2006028910.tif 000008